(57)【要約】【課題】シャツの襟を立たせた状態に保持する構造ととして、襟を立たせる芯材を簡易に着脱でき、左右にずれることがなく、比較的薄く形成できるようにすることを課題とする。【解決手段】襟立て構造として、針状又は細長い板状からなる上下に細長い縦芯部と、当該縦芯部の上方に設けられる横方向に張り出す張出部とからなる襟立て具と、衣類の襟に設けられる、当該襟を立てた状態において上下方向に連なる穴であって、最上部に位置する部分は前記張出部が通らない大きさに形成され、前記襟立て具の縦芯部が上方から挿入されることで前記襟立て具を保持しかつ、保持した前記襟立て具の襟の表面又は裏面に垂直な回転軸周りの回転を規制する穴を有する襟立て具保持手段とから構成する。【選択図】  図３
2016216852.tif 000002
【特許請求の範囲】
【請求項１】
針状又は細長い板状からなる上下に細長い縦芯部と、当該縦芯部の上方に設けられる横方向に張り出す張出部とからなる襟立て具と、
衣類の襟に設けられる、当該襟を立てた状態において上下方向に連なる穴であって、最上部に位置する部分は前記張出部が通らない大きさに形成され、前記襟立て具の縦芯部が上方から挿入されることで前記襟立て具を保持しかつ、保持した前記襟立て具の襟面に垂直な回転軸周りの回転を規制する穴を有する襟立て具保持手段と
を有する襟立て構造。
【請求項２】
前記襟立て具保持手段は前記襟の長手方向に沿って２以上設けられ、前記襟立て具はそれぞれの襟立て具保持手段に保持されるものである請求項１に記載の襟立て構造。
【請求項３】
前記襟立て具保持手段は、左右両端が前記襟の表面又は裏面に固定される１以上の紐体又は帯体により形成される請求項１又は２に記載の襟立て構造。
【請求項４】
前記襟立て具保持手段の前記穴は前記襟の下縁の折り目より下に到り、前記縦芯部は前記襟立て具保持手段に保持された状態において当該折り目より下に到る長さを有する請求項１から３のいずれか１項に記載の襟立て構造。
【請求項５】
請求項１から４のいずれか１項に記載された襟立て具保持手段が襟に設けられた襟付き衣類。
【発明の詳細な説明】
【技術分野】
【０００１】
本発明は、シャツ等の襟を立たせるための構造に関し、簡易に、襟を折り返した状態にすることもできるものに関する。
【背景技術】
【０００２】
シャツ等の襟はファッションのためや、風除けのために立てて使用することがあるが、布でできた襟は比較的倒れやすい。これに対応するものとして、下記特許文献５、特許文献４の図２乃至図４には、襟を立たせるための芯材を襟内に固定することが示されている。しかし、芯材を襟内に固定してしまうと、襟を折り返した状態で使用する場合には芯材が邪魔になってしまうという問題がある。このような問題に対して、下記特許文献１乃至４には襟を立てるための芯材を着脱できるものが示されている。具体的に、特許文献１には芯材を兼ねたクリップを襟に挟むことが示されている。特許文献２には、芯材を面ファスナーによって固定することが示されている。特許文献３には、芯材を粘着テープで襟に貼り付けるものが示されている。特許文献４の図１には横長の一端が開放されたポケットに芯材を挿入するものが示されている。
【先行技術文献】
【特許文献】
【０００３】
【特許文献１】特開２００９−２７９２１９号公報
【特許文献２】特開２００７−１６３４４号公報
【特許文献３】特開２００４−４４００９号公報
【特許文献４】実用新案登録第３００２００９号公報
【特許文献５】実公昭４７−３１６２３号公報
【発明の概要】
【発明が解決しようとする課題】
【０００４】
しかしながら、特許文献１のようにクリップを芯材として用いる場合、使用しているうちにクリップが左右にずれて見栄えが悪くなる恐れがある。特許文献２、３に記載の発明の場合は襟に芯材が完全に固定されるのでこのような問題は生じないが、面ファスナーで固定するの場合は、全体が厚くなってやはり見た目が悪くなり、粘着テープで固定する場合は、襟に固定する度に粘着テープを貼りかえる必要があり手間がかかる。特許文献４の図１のように横長のポケットに芯材を入れる場合は、端部に開口があるので開口から芯材抜け出て横方向にずれてしまう可能性がある。
本発明は、このような問題を解決すべく、シャツの襟を立たせた状態に保持する構造ととして、襟を立たせる芯材を簡易に着脱でき、左右にずれることがなく、比較的薄く形成できるようにすることを課題とする。
を課題とする。
【課題を解決するための手段】
【０００５】
上記課題を解決するために、本発明は次のような構成を有する。
請求項１に記載の発明は、針状又は細長い板状からなる上下に細長い縦芯部と、当該縦芯部の上方に設けられる横方向に張り出す張出部とからなる襟立て具と、衣類の襟に設けられる、当該襟を立てた状態において上下方向に連なる穴であって、最上部に位置する部分は前記張出部が通らない大きさに形成され、前記襟立て具の縦芯部が上方から挿入されることで前記襟立て具を保持しかつ、保持した前記襟立て具の襟の表面又は裏面に垂直な回転軸周りの回転を規制する穴を有する襟立て具保持手段とを有する襟立て構造である。なお、穴は連続的に連なってもよく、断続的に連なってもよい。また、針状の縦芯部にはワイヤーで形成される縦芯部が含まれる。
請求項２に記載の発明は、前記襟立て構造において、前記襟立て具保持手段は前記襟の長手方向に沿って２以上設けられ、前記襟立て具はそれぞれの襟立て具保持手段に保持されるるものである。
請求項３に記載の発明は、前記襟立て構造において、前記襟立て具保持手段は、左右両端が前記襟の表面又は裏面に固定される１以上の紐体又は帯体により形成されるものである。
請求項４に記載の発明は、前記襟立て構造において、前記襟立て部保持手段の前記穴は前記襟の下縁の折り目より下に到り、前記縦芯部は前記襟立て部保持体に保持された状態において当該折り目より下に到る長さを有するものである。なお、襟の下縁の折り目より下は、襟が襟台に連続する場合は当該襟台が該当し、襟台を有しない襟の場合は折り返される襟の折り目の下側に連続する襟の折り返されない部分が該当する。
請求項５に記載の発明は、前記襟立て保持手段が襟に設けられた襟付き衣類である。
【発明の効果】
【０００６】
以上のような構成により本発明は、次のような効果を奏する。
請求項１に記載の発明は、襟立て具の針状又は板状の縦芯部が、襟に設けられた襟立て具保持手段の穴に上から挿入されることで保持固定され、この縦芯部によって襟を立てた状態に保持する構造を有するので、襟立て具は穴に対して抜き差しすることで簡単に着脱でき、穴に上から挿入されることで左右にずれることがなく、襟に装着した状態で薄い構造とすることができる。
請求項２に記載の発明は、襟立て具が襟の長手方向に複数配置されることで、襟立て具同士が互いに補完し合って、襟をよりしっかりと立てた状態に保持することができる。
請求項３に記載の発明は、襟立て具保持手段を紐体又は帯体の左右両端を襟に固定することで形成するようにすることで、従来の襟に簡単に襟立て保持手段を形成することができる。
請求項４に記載の発明は、襟立て具の縦芯部が襟の折り目より下にまで延びることで、折り目から曲がることが抑制されるので、襟をより確実に立てた状態に保持することができる。
請求項５に記載の発明は、必要に応じて、襟を折り返した状態で着用でき、また、請求項１に示されるような襟立て具を挿入することで、襟を立った状態に保持して着用することができる。
【図面の簡単な説明】
【０００７】
【図１】実施形態１に係る襟立て具を示す斜視図である。
【図２】実施形態１に係る襟を示す正面図である。
【図３】実施形態１に係る襟に襟立て具を固定した状態を示す正面図である。
【図４】実施形態２に係る襟立て具を示す斜視図である。
【図５】実施形態２に係る襟を示す正面図である。
【図６】実施形態２に係る襟に襟立て具を固定した状態を示す正面図である。
【図７】:  （ａ）（ｂ）とも変形例に係る襟を示す正面図である。
【発明を実施するための形態】
【０００８】
（実施形態１）
図１に実施形態１に係る襟立て具Ｘを示す。襟立て具Ｘは、合成樹脂、金属、硬質ゴム等により形成され、上下に細長い板状の縦芯部１０と縦芯部１０の上端に形成される左右に張り出す棒状体からなる張出部２０とから構成される。縦芯部１０は下端側が丸く形成される。
図２に実施形態１に係るシャツの襟Ｃの正面図を示す。襟Ｃは襟台Ｂの上縁に下縁が折り返し可能に固定された一般的なシャツの襟であり、立てた状態を示している。襟Ｃには長手方向に沿って、中央及び左右の３箇所に襟立て具保持部Ｙが設けられている。それぞれの襟立て具保持部Ｙは、上下に並んで固定される二本の紐体３１、３２により形成される。紐体３１、３２は左右両端が襟Ｃの表面に縫い付けられて固定されることで紐体３１、３２の両端間とシャツＣの表面との間に穴が形成される。紐体３１、３２は上下に並んでいるので紐体３１、３２により形成される穴は上限に連なって配置されることとなる。また、当該穴は襟立て具Ｘの縦芯部１０がぎりぎり通る程度大きさに設定される。従って、当該穴を襟立て具Ｘの張出部２０は通ることができない。また、紐体３１、３２との間隔は、襟立て具Ｘの縦芯部１０の長さよりも若干短くなるように設定される。
【０００９】
このような構造を有する襟立て具Ｘと襟Ｃの使用方法を以下に説明する。まず、襟Ｃを立てる場合には図３に示すように、襟Ｃを立てて、それぞれの襟立て具保持部Ｙの紐体３１、３２により形成される穴に襟立て具Ｘの縦芯部１０を上から通す。襟立て具Ｘは張出部２０によって紐体３１により形成される穴に引っかかって下方には抜けず、また、紐体３１、３２により形成される穴の大きさが縦芯部１０に対してぎりぎり通る程度に形成されることで、襟立て具Ｘはしっかりと保持固定されることとなる。なお、この状態は実施形態１に係る襟立て構造となる。このように襟立て具Ｘを襟Ｃに固定することで、襟立て具Ｘが芯材となって襟Ｃは立った状態に保持され、また、図に示すように襟Ｃの中央、左右に襟立て具Ｘが固定されることで襟Ｃは長手方向に渡って立った状態を保持することができる。そして、この状態から襟Ｃを折り返す場合には、それぞれの襟立て具Ｘを上方に抜けば、襟Ｃの形状を保持するものがなくなるので普通の襟と同様に襟Ｃを折り返して使用することができる。
以上説明したように、襟Ｃに襟立て具Ｘを固定する際は、単純に上方から差し込むだけであるので簡単であり、襟立て具Ｘは薄いので襟に固定した状態でも比較的見た目がよい。また、襟立て具保持部Ｙは襟立て具Ｘを上下に連なる穴で保持するので襟立て具Ｘが左右にずれることがなく、また、紐体３１、３２の穴が襟立て具Ｘの縦芯部１０の上端と下端近傍を固定するので、襟立て具Ｘは襟面に直交する軸回りの回転が規制され、回転してずれるようなこともない。襟Ｃから襟立て具Ｘを取り外す際も襟立て具Ｘを上方に引っ張るだけで簡単に取り外すことができるので、簡単に襟Ｃを折り返した状態とすることができる。
【００１０】
（実施形態２）
図４に実施形態２に係る襟立て具Ｖを示す。襟立て具Ｖは、合成樹脂、金属、硬質ゴム等により形成され、上下に細長い板状の縦芯部４０と縦芯部４０の上端に形成される左右に張り出す板状体からなる張出部５０とから構成される。
図５に実施形態２に係るシャツの襟Ｃ２の正面図を示す。襟Ｃ２は襟台Ｂの上縁に下縁が折り返し可能に固定された一般的なシャツの襟であり、立てた状態を示している。襟Ｃ２には中央及び左右の３箇所に襟立て具保持部Ｗが設けられている。それぞれの襟立て具保持部Ｗは、帯体６１により形成される。帯体６１は上下に長い長方形状の布体であり、左右両端及び下端が襟Ｃ２の表面に縫い付けられて固定されることで帯体６１の両端間とシャツＣ２の表面との間に上下に連なる穴が形成される。また、当該穴は襟立て具Ｖの縦芯部４０がぎりぎり通る程度大きさに設定され、上下の長さは襟立て具Ｘの縦芯部１０の長さよりも若干長くなるように設定される。
【００１１】
このような構造を有する襟立て具Ｖと襟Ｃ２の使用方法を以下に説明する。使用方法は実施形態１に係る襟立て具Ｘと襟Ｃの使用方法と同様であり、襟Ｃ２を立てる場合には図６に示すように、襟Ｃ２を立てて、それぞれの襟立て具保持部Ｗの帯体６１により形成される穴に襟立て具Ｖの縦芯部４１を上から通す。襟立て具Ｖは張出部５０又は帯体６１の縫いつけられた下縁によって下方には抜けず、帯体６１により形成される穴の大きさが縦芯部４０に対してぎりぎり通る程度に形成されることで、襟立て具Ｖはしっかりと保持固定されることとなる。なお、この状態は実施形態２に係る襟立て構造となる。このように襟立て具Ｖを襟Ｃ２に固定することで、やはり、襟立て具Ｖが芯材となって襟Ｃ２は長手方向に渡って立った状態に保持でき、この状態から襟Ｃ２を折り返す場合には、それぞれの襟立て具Ｖを上方に抜けば、普通の襟と同様に襟Ｃ２を折り返して使用することができる。
以上説明した通り、実施形態２に係る襟立て構造も、襟Ｃ２に襟立て具Ｖを固定する際は、単純に上方から差し込むだけであるので簡単であり、襟立て具Ｖは薄いので襟に固定した状態でも比較的見た目がよく、また、襟立て具保持部Ｗは襟立て具Ｖを上下に連なる穴で保持するので襟立て具Ｖが左右にずれることがなく、また、帯体６１の穴が襟立て具Ｖの縦芯部４０を長手方向に渡って固定するので、襟立て具Ｖは襟面に直交する軸回りの回転が規制され、回転してずれるようなこともない。また、襟Ｃ２から襟立て具Ｖを取り外す際も襟立て具Ｖを上方に引っ張るだけで簡単に取り外すことができるので、簡単に襟Ｃを折り返した状態にすることができる。
【００１２】
なお、上記各実施形態では、襟立て具保持部Ｙ、Ｗは襟の下端まで形成されているが、さらに、襟立て具保持部Ｙ、Ｗの下端側は襟台まで形成し、襟立て具Ｘ、Ｖの縦芯部１０、４０もこれに合わせて下方に伸ばすようにしてもよい。このようにすることで、襟の下縁の折り目から折り曲がりにくくなり、襟をよりしっかりと立てた状態に保持することができる。
また、上記実施形態では、襟立て具保持部Ｙ、Ｗは襟の長手方向の沿って３つ設けられているが、この数は、適宜変更することができ、２つでも、４つ以上でもよい。なお、１つでも襟を立てる機能を果たすことは可能である。
さらに、上記実施形態では立てた襟の表側に襟立て具保持部Ｙ、Ｗを設けているが、裏側に設けることもできる。
それから、襟立て具の張出部の形状は襟立て具保持部の上端側の穴に入らない大きさであれば丸型やデザイン化した板状型など適宜採用することができる。また、襟立て具の縦芯部の形状も同様に襟立て具保持部が形成する穴に入る幅と芯として機能する長さを有するものであれば針状にしたり、波型の板にしたり等適宜変更することができる。
そして、上記実施形態では襟立て具保持部Ｗの下端は縫い付けてあるが、下端は開放してもよい。
【００１３】
さらに、襟立て具保持部の形状も適宜変更することが可能である。例えば、図７（ａ）に示すように、襟Ｃ３を構成する布地に切り込みを入れることで両端が固定された帯体７１、７２を形成し、これにより襟立て保持部Ｑを形成することができる。このような襟立て保持部Ｑに対しても、図の右端の襟立て保持部Ｑに想像線で示すような襟立て具Ｐを帯体７１、７２により形成される穴に挿入することで本願発明に係る襟立て構造を実現することができる。なお、帯体７１、７２を形成するための切れ込みは、襟Ｃ３を構成する一枚の布のみであっても、表から裏まで貫通するものであってもよい。また、切れ込みに対しては穴かがりをすることが望ましい。図７（ａ）に示す襟立て保持部Ｑは、襟立て具Ｐを抜いたときに、襟面が平らになるので、目立ちにくい。さらに、図７（ｂ）に示すように、襟Ｃ４が裏表２枚の布地で構成されている場合は、裏面の布地と表面の布地との間に、襟立て具保持部Ｓとなる穴８１を形成してもよい。穴８１は、穴８１の左右両縁部分における裏面の布地と表面の布地とを結合させることで形成される。また、穴８１の上には襟立て具Ｒの張出部が入る幅を有する浅い穴８２を形成する等、穴８１は上方に張出部が収まる穴を形成し、この下に設けることが望ましい。これにより、図の右端の襟立て具保持部Ｓに想像線で示すような襟立て具Ｒを縦芯部を穴８１に張出部を穴８２に挿入することで本願発明に係る襟立て構造を実現することができる。図７（ｂ）に示す襟立て構造は襟立て具Ｒが表面裏面のいずれかも見えず、襟立て具Ｒを取り外した場合も襟立て具保持部Ｓが目立つことがない。
【符号の説明】
【００１４】
Ｘ、Ｖ、Ｐ、Ｒ  襟立て具
Ｙ、Ｗ，Ｑ、Ｓ  襟立て具保持部
Ｃ、Ｃ２、Ｃ３、Ｃ４  襟
１０、４０  縦芯部
２０、５０  張出部
３１、３２  紐体
６１、７１、７２  帯体
【図１】
2016216852.tif 000003
【図２】
2016216852.tif 000004
【図３】
2016216852.tif 000005
【図４】
2016216852.tif 000006
【図５】
2016216852.tif 000007
【図６】
2016216852.tif 000008
【図７】
2016216852.tif 000009